(57)【特許請求の範囲】
【請求項１】
中心穴を有するディスクが、前記中心穴が同じ位置に重なるように複数枚保持される保管手段と、前記保管手段に保持されているいずれかのディスクを前記保管手段内からディスク面に沿う方向へ引き出すディスク移送手段と、引き出されたディスクを回転させてディスクに対する記録処理と再生処理の少なくとも一方を行う駆動ユニットとを有し、
前記保管手段に保持されているディスクの中心穴に入って前記保管手段からディスクが出るのを規制する規制姿勢と、前記中心穴から外れる方向へ倒れる退避姿勢との間で回動するアームと、前記ディスクの並ぶ方向へ進退移動して、前記アームを前記規制姿勢と前記退避姿勢との間で回動させる切換え部材と、前記切換え部材を進退移動させる進退駆動手段とが設けられており、
前記アームと前記切換え部材との連結部には、一方に突部が、他方に前記突部を案内する案内手段が設けられ、
前記案内手段は、前記アームが前記規制姿勢と前記退避姿勢の少なくとも一方の姿勢のときに、前記切換え部材の進退方向に沿って延びて前記アームの前記姿勢を維持したまま前記突部の摺動を許容する案内路と、前記切換え部材の進退動作の際に前記アームに前記規制姿勢と前記退避姿勢との間での回動力を与える案内路と、を有することを特徴とするディスク装置。
【請求項２】
前記案内手段は、前記アームが前記退避姿勢のときに、前記切換え部材の進退方向に沿って延びて前記アームの前記退避姿勢を維持したまま前記突部の摺動を許容する第１の案内路と、前記アームが前記規制姿勢のときに、前記切換え部材の進退方向に沿って延びて前記アームの前記規制姿勢を維持したまま前記突部の摺動を許容する第３の案内路と、前記第１の案内路と前記第３の案内路の双方に連続して、前記切換え部材の進退動作の際に前記アームに前記規制姿勢と前記退避姿勢との間での回動力を与える第２の案内路と、を有する請求項１記載のディスク装置。
【請求項３】
前記進退駆動手段は、スクリュー軸を有し、前記切換え部材が前記スクリュー軸と係合して、前記スクリュー軸の回転に応じて前記切換え部材が進退移動させられる請求項１または２記載のディスク装置。
【請求項４】
前記スクリュー軸の基端部には歯車が一体に設けられ、前記歯車を介して前記スクリュー軸に回転力が与えられる請求項３記載のディスク装置。
【請求項５】
前記保管手段をディスクの並ぶ方向に移動させて、前記保管手段に保持されたいずれかのディスクを選択して、選択したディスクを前記移送手段により移送可能な位置に設置するディスク選択手段が設けられている請求項１ないし４のいずれかに記載のディスク装置。
【請求項６】
前記保管手段に保持されたディスクの中心穴内に位置する規制部材が設けられて、前記アームはこの規制部材の先部に回動自在に設けられており、前記ディスク選択手段により選択されたディスクが前記規制部材から外れて中心穴が前記アームに一致する位置へ移動したときに、前記アームが退避姿勢に回動して選択されたディスクが前記移送手段により前記保管手段の外へ移送可能とされる請求項５記載のディスク装置。
【発明の詳細な説明】
【０００１】
【発明の属する技術分野】
本発明は、ＣＤやＤＶＤなどのディスクが複数装填可能で、任意のディスクを選択して記録および／または再生が可能なディスク装置に関する。
【０００２】
【従来の技術】
車載用ディスク装置では、ＣＤやＤＶＤなどのディスクが前面パネルに形成された開口部から挿し込まれて、機器の内部に送り込まれるスロットイン方式のディスク装置がある。この種のディスク装置として、挿入されたディスクが保管手段内で複数枚保管され、保管されたディスクのいずれかが選択されて記録および／または再生が行われるものがある。
【０００３】
通常、前記保管手段では、ディスクが重ねられて保持され、ディスクの選択時にはディスクを保持した前記保管手段が上下に移動して、いずれかのディスクが駆動ユニットへ移送可能な位置に至るように選択される。そして、選択されたディスクがローラなどの移送手段により前記駆動ユニットへ移送される。
【０００４】
この場合に、保管手段に保持されたディスクを選択する動作のとき、および保管手段内に保持されたディスクを選択していないときに、保管手段内のディスクが飛び出さないように規制しておくことが必要である。
【０００５】
そのための手段として、保管手段に保持されたディスクの中心穴内に位置する規制部材を設け、前記ディスク選択手段により選択されたディスクの中心穴が前記規制部材から外れた位置に至ったときに、このディスクが前記移送手段により駆動ユニットへ送り込まれるようにしたものがある。
【０００６】
【発明が解決しようとする課題】
しかし、前記規制部材では、ディスクの中心穴が前記規制部材の先部から外れた時点で、ディスクが規制できなくなる。よって、前記規制部材の先部からさらに延長して延びる補助部材を設け、いずれかのディスクが前記補助部材の位置へ移動したときに、前記補助部材によりディスクを規制し、このディスクを駆動ユニットへ移送するときに、前記補助部材を退行させて、ディスクの移送を可能とすることが好ましい。
【０００７】
しかし、前記のように規制部材の先部から突出する補助部材を設けたものでは、前記補助部材を確実に進退動作させなくてはならず、例えば、歯車の噛み合わせ位置の誤差や部品の位置精度の狂いなどに起因して、補助部材が規制部材の先部から完全に後退できないことがあると、選択されたディスクが前記補助部材に引っかかって、駆動ユニットの方向へ確実に引き出せないことがある。
【０００８】
本発明は、上記課題を解決するものであり、前記規制部材により保管手段に保管されたディスクを確実に規制でき、しかも、機構の誤差などがあっても前記規制および規制解除を確実に行うことができるディスク選択式ディスク装置を提供することを目的とする。
【０００９】
【課題を解決するための手段】
本発明のディスク装置は、中心穴を有するディスクが、前記中心穴が同じ位置に重なるように複数枚保持される保管手段と、前記保管手段に保持されているいずれかのディスクを前記保管手段内からディスク面に沿う方向へ引き出すディスク移送手段と、引き出されたディスクを回転させてディスクに対する記録処理と再生処理の少なくとも一方を行う駆動ユニットとを有し、
前記保管手段に保持されているディスクの中心穴に入って前記保管手段からディスクが出るのを規制する規制姿勢と、前記中心穴から外れる方向へ倒れる退避姿勢との間で回動するアームと、前記ディスクの並ぶ方向へ進退移動して、前記アームを前記規制姿勢と前記退避姿勢との間で回動させる切換え部材と、前記切換え部材を進退移動させる進退駆動手段とが設けられており、
前記アームと前記切換え部材との連結部には、一方に突部が、他方に前記突部を案内する案内手段が設けられ、
前記案内手段は、前記アームが前記規制姿勢と前記退避姿勢の少なくとも一方の姿勢のときに、前記切換え部材の進退方向に沿って延びて前記アームの前記姿勢を維持したまま前記突部の摺動を許容する案内路と、前記切換え部材の進退動作の際に前記アームに前記規制姿勢と前記退避姿勢との間での回動力を与える案内路と、を有することを特徴とするものである。
【００１１】
本発明では、切換え部材の進退動作によりアームが規制姿勢と退避姿勢になるが、前記規制姿勢のとき、または前記退避姿勢のとき、さらには前記両姿勢のときに、切換え部材の進退位置に狂いがあっても、アームが前記姿勢のまま維持される。よって、ディスクの規制不良が生じたり、ディスクを引き出すときに前記アームが妨げになるなどの弊害となることがない。
【００１２】
また、前記進退駆動手段は、スクリュー軸を有し、前記切換え部材が前記スクリュー軸と係合して、前記スクリュー軸の回転に応じて前記切換え部材が進退移動させられるものであり、また前記スクリュー軸の基端部には歯車が一体に設けられ、前記歯車を介して前記スクリュー軸に回転力が与えられるものである。
【００１３】
この場合に前記歯車と駆動側歯車とのバックラッシュや、スクリュー軸と切換え部材との螺合位置のずれなどが生じ、切換え部材の進退位置に狂いが発生しても、アームの前記姿勢を維持することができる。
【００１４】
また、前記保管手段をディスクの並ぶ方向に移動させて、前記保管手段に保持されたいずれかのディスクを選択して、選択したディスクを前記移送手段により移送可能な位置に設置するディスク選択手段が設けられているものとして構成でき、さらに、前記保管手段に保持されたディスクの中心穴内に位置する規制部材が設けられて、前記アームはこの規制部材の先部に回動自在に設けられており、前記ディスク選択手段により選択されたディスクが前記規制部材から外れて中心穴が前記アームに一致する位置へ移動したときに、前記アームが退避姿勢に回動して選択されたディスクが前記移送手段により前記保管手段の外へ移送可能とされるものとすることができる。
【００１５】
また例えば保管手段に保持されるディスクの枚数が少ないときは、規制姿勢のときのアームが全てのディスクの中心穴内に入り、アームにより全てのディスクを規制できるようにすることが可能である。
【００１６】
【発明の実施の形態】
図１は本発明のディスク装置の内部構造を示す概略斜視図、図２は規制手段をの構造を示す分解斜視図、図３（Ａ）（Ｂ）は規制手段と駆動ユニットの動作を示す側面図、図４及び図５はアームが退避姿勢から規制姿勢に移動するときの動作説明図、図６は歯車に対する動力伝達機構を示す平面図である。
【００１７】
図１に示すディスク装置１はスロットイン方式であり、ＣＤやＤＶＤなどの中心穴Ｄ１を有するディスクＤが装填可能である。ディスク装置１のシャーシ（筐体）２の前面に設けられたパネルに開口部３が形成され、この開口部３を介してディスクＤの挿入、排出が行われる。図１に示すように、シャーシ２の内部にはディスク移送手段としてのガイド部材２１と移送ローラ群２２が対向して設けられており、前記開口部３から挿入されたディスクＤは前記ガイド部材２１と移送ローラ群２２とで挟まれ、移送ローラ群２２の回転力によりシャーシ２内に移送される。また前記移送ローラ群２２によってシャーシ２内のディスクＤを排出可能である。
【００１８】
前記ディスク装置１は複数枚のディスクＤを前記開口部３から１枚ずつ装填可能であり、挿入された各ディスクＤは保管手段を構成する保持板４に送られる。保持板４は合成樹脂製で弓形状に形成されたものであり、ディスクＤの外周縁部の後方の半円部分が保持される。また保持板４は上下方向に重ねられて複数設けられており、それぞれの保持板４が、シャーシ２に支持された軸５，５，５，５に挿通されている。
【００１９】
前記複数の軸５の全て（一部であってもよい）の表面には螺旋溝５ａが形成され且つ前記保持板４には前記螺旋溝５ａに嵌合する図示しない突起が設けられている。前記軸５および螺旋溝５ａがディスク選択手段として機能し、軸５が回転すると、前記保持板４が上下方向に移動させられる。ただし前記螺旋溝５ａは、軸５の中心でピッチが粗く（長く）、上下端部でピッチが密に（短く）なっている。よって、保持板４は前記軸５の上端と下端に移送されたときには上下間隔がきわめて短くなり、軸５の中心部に移動したときに保持板４の上下の間隔が広くなる。
【００２０】
図１および図３に示すように、前記ディスク装置１には、駆動ユニット６が設けられている。駆動ユニット６には、ターンテーブル７と光ピックアップ８とが搭載されている。前記駆動ユニット６はシャーシ２内で高さ方向の位置が変化せずに、シャーシ２内で水平に移動するように設けられている。またシャーシ２内には前記駆動ユニット６を水平に移動させる移動手段が設けられている。駆動ユニット６には、ターンテーブル７を駆動するモータが搭載されている。ディスクＤの中心穴Ｄ１は前記ターンテーブル７に装着されるが、図３に示すようにターンテーブル７の上には、ディスクをターンテーブル７に押し付ける押え部材９が設けられている。
【００２１】
前記光ピックアップ８は、内部に発光素子と受光素子および各種光学部品が内蔵されており、ディスクＤの表面に対向する対物レンズが設けられている。また駆動ユニット６には、光ピックアップ８をディスクＤの半径方向Ｒへ移動させるスレット機構が設けられている。
【００２２】
保管手段を構成する前記保持板４でディスクＤが保持されたときに、そのディスクＤの中心穴Ｄ１が位置する場所に、規制手段１０が設けられている。図３に示すように、この規制手段１０は、シャーシ２の天板に固定された上部規制部材１７と、シャーシ２の底板に固定された下部規制部材１１とを有しており、前記上部規制部材１７と下部規制部材１１は、上下方向へ同一位置に対向している。
【００２３】
前記上部規制部材１７には、内面側において垂直面となるように形成された受け部１７ａが設けられている。
【００２４】
図２に示すように、前記下部規制部材１１は合成樹脂で成形されており、円筒体１１ａを有している。円筒体１１ａの側面の一部には、上端から下端にかけて延びる突条体１１ｂが一体に突設されている。また突条体１１ｂの上端には切り欠きにより分離されて互いに対向する支持片１１ｃ，１１ｃが形成され、前記支持片１１ｃ、１１ｃに、支持孔１１ｃ１，１１ｃ１が形成されている。また円筒体１１ａの上端には、前記突条体１１ｂと対向する位置に凹部１１ｄが切り欠かれて形成されている。また円筒体１１ａの下端には外周方向へ延びる円形の支持板１１ｅがフランジ状に一体に形成されており、この支持板１１ｅがシャーシ２の底板に固定されている。
【００２５】
前記下部規制部材１１の円筒体１１ａ内には切換え部材１２が上下方向へ進退自在に設けられている。前記切換え部材１２は、円筒状の摺動体１２ａの上端に連結片１２ｂ，１２ｂが間隔を開けて一体に形成され、この連結片１２ｂ，１２ｂにはピン挿通孔１２ｃ，１２ｃが形成されている。前記摺動体１２ａの内部には、螺旋凸条１２ｄが形成されている。
【００２６】
前記摺動体１２ａの内部には、スクリュー軸１４が挿入されている。前記スクリュー軸１４は、外周面に螺旋溝１４ａが形成されており、この螺旋溝１４ａと螺旋凸条１２ｄとが螺合するようになっている。また前記スクリュー軸１４の下端には歯車１４ｂが一体に形成されている。
【００２７】
図６に示すように、前記シャーシ２の底部には、前記駆動ユニット６を水平に移動させる移動手段の駆動源から動力を得て所定角度だけ回転する作動レバー３０が設けられている。前記作動レバー３０には扇形状に沿って歯部３０ａが形成されており、この歯部３０ａが前記歯車１４ｂに噛み合っている。前記作動レバー３０の回動により歯車１４ｂが回転させられることで、駆動ユニット６の移動と、前記スクリュー軸１４との回動のタイミングが同期できるようになっている。
【００２８】
前記切換え部材１２の上側に取付けられたアーム１３には、直線状に延びる規制腕部１３ａと案内部１３ｂとが一体に形成されている。前記規制腕部１３ａの基端側には支持穴１３ｃが穿設され、腕部１３ａの先端側には先細りとなるように段差部１３ａ１が形成されている。
【００２９】
前記アーム１３の案内部１３ｂは、切換え部材１２の連結片１２ｂと１２ｂとの間に挿入され、連結ピン１６が支持孔１１ｃ１，１１ｃ１とアーム１３の支持穴１３ｃに挿入されて、アーム１３は下部規制部材１１上で回動自在に支持されている。
【００３０】
また、アーム１３の案内部１３ｂには三叉路状の案内路１３ｂ０が穿設されており、この案内路１３ｂ０は第１の案内路１３ｂ１，第２の案内路１３ｂ２および第３の案内路１３ｂ３から構成されている。前記切換え部材１２の上端に形成された連結片１２ｂと１２ｂとの間に前記案内部１３ｂが差し込まれた状態で、ピン挿通孔１２ｃと前記案内路１３ｂ０に摺動ピン１５が挿入され、前記アーム１３と前記切換え部材１２とが連結されている。
【００３１】
そして、突部としての摺動ピン１５は第１の案内路１３ｂ１、第２の案内路１３ｂ２及び第３の案内路１３ｂ３内を摺動する。
【００３２】
案内路１３ｂ０は、図４（Ａ）に示すように、アーム１３が倒れた退避姿勢のときに、前記第１の案内路１３ｂ１は垂直下方へ延び、図５（Ｂ）に示すように、アーム１３が垂直に立ち上がる規制姿勢のときに、前記第３の案内路１３ｂ３は垂直上方に向けて延びている。また前記第１の案内路１３ｂ１と前記第３の案内路１３ｂ３はほぼ直角であり、前記第２の案内路１３ｂ２は、前記第１の案内路１３ｂ１および第３の案内路１３ｂ３の交点から支持穴１３ｃ（連結ピン１６）に向って延びている。
【００３３】
次に上記ディスク装置の動作を説明する。
図３（Ａ）はディスクを駆動していないとき、およびディスクを選択している状態を示し、図３（Ｂ）は、いずれかのディスクＤが駆動されている状態または、ディスクＤがシャーシ２内に移送され、排出される状態を示している。
【００３４】
図３（Ａ）に示すように、ディスクの選択動作を行なうとき、またはいずれのディスクをも駆動していないときには、前記駆動源からの動力を得て駆動ユニット６がディスクＤの保管手段から離れる方向に移動させられ、駆動ユニット６および押え部材９が、保持板４に保持されたディスクＤから外れるようにシャーシ２内の前方（図示左側）に移動して停止している。
【００３５】
前記駆動ユニット６が前方へ移動させられるときに、駆動ユニット６を移動させる前記駆動源からの動力が、図６に示す作動レバー３０に伝達され、前記作動レバー３０が反時計方向に回動させられる。作動レバー３０の回動力は歯車１４ｂに伝達されて、スクリュー軸１４が図６の平面図において時計方向に回転させられる。この回転の際にスクリュー溝１４ａによって切換え部材１２は上方に移動させられ、アーム１３が立ち上げられ、規制姿勢となる。
【００３６】
図３（Ａ）では、前記規制手段１０において、前記のようにアーム１３が下部規制部材１１の上端から立ち上がる規制姿勢になり、アーム１３により下部規制部材１１と上部規制部材１７が連結される。したがって、保持板４に保持された全てのディスクＤの中心穴Ｄ１内に、前記下部規制部材１１、アーム１３または上部規制部材１７が位置し、ディスクＤが保管手段である保持板４から図示左方向へ抜け出るのが防止される。
【００３７】
ディスク選択動作では、前記軸５が回転することで、螺旋溝５ａにより保持板４が順次上方へまたは下方へ移動させられる。この動作で、再生等を行うディスクを保持した保持板４が選択され、ディスクの挿入動作を行なうときにも、新たなディスクＤを保持させるべき空の保持板４が選択される。これら選択された保持板４は、図３（Ａ）（Ｂ）に示すように、ディスクＤの移送面上、すなわち前記下部規制部材１１と上部規制部材１７との対向間隔内に位置させられ、このときに軸５の回動が停止する。
【００３８】
前記保管手段からディスクＤを取り出すとき、あるいは新たなディスクを挿入するとき、またはディスクを排出するときは、前記駆動源からの動力を得て図３（Ｂ）に示すように、駆動ユニット６がディスクＤの保管手段に近づく方向に移動させられる。このとき前記駆動源からの動力によって図６に示す作動レバー３０が時計方向に回動させられる。このとき、歯車１４ｂに伝達される動力によってスクリュー軸１４が図６において反時計方向に回転させられて、スクリュー溝１４ａの働きにより、切換え部材１２が下降させられて、アーム１３が倒された退避姿勢となる。
【００３９】
この退避姿勢のアーム１３は前記下部規制部材１１の上端から上方へ突出しない姿勢に倒れている。よって、下部規制部材１１と上部規制部材１７との間には間隔が開けられている。
【００４０】
そして、選択された保持板４に保持されているディスクＤは、一方の縁部がガイド部材２１でガイドされ、他方の縁部に移送ローラ群２２の個々のローラの回転力が与えられて、ディスクＤが前方（図示左方向）へ移送され、ディスクＤの縁部が保持板４から離れ、ディスクＤの中心穴Ｄ１が駆動ユニット６のターンテーブル７に一致させられたときに移送ローラ群２２が停止する。そして前記中心穴Ｄ１の部分がターンテーブル７と押え部材９との間で保持される。この状態で、ディスクＤが回転駆動され、光ピックアップ８により、再生動作や記録動作が行なわれる。
【００４１】
また、図３（Ｂ）に示す状態で、ディスクが開口部３から挿入されると、前記ガイド部材２１と移送ローラ群２２とでディスクＤがシャーシ２内に移送されて、空の保持板４に保持される。このとき、ディスクＤは駆動ユニット６と押え部材９との間を案内されて移送される。前記動作を各保持板４毎に繰り返すことにより、各保持板４にディスクＤを保持させることが可能である。
【００４２】
また、図３（Ｂ）の状態で、保持板４に保持されているディスクＤを開口部３から排出させることができる。
【００４３】
ここで、前記規制手段１０でのアーム１３の回動動作を説明する。
図４（Ａ）はアーム１３が倒れた退避姿勢を示している。このときアーム１３の腕部１３ａの先端の段差部１３ａ１が下部規制部材１１の凹部１１ｄ内に入り込んで当接し、アーム１３がそれ以上反時計方向へ回動できないように規制されている。この退避姿勢では、アーム１３の腕部１３ａの上面は、下部規制部材１１の上端と同じ位置またはそれよりも低い位置となり、下部規制部材１１の上端からアーム１３が突出しないようになっている。
【００４４】
図４（Ａ）では、切換え部材１２が下降させられており、切換え部材１２に設けられた摺動ピン１５は、アーム１３の案内部１３ｂの第１の案内路１３ｂ１に入り込んでいる。このとき第１の案内路１３ｂ１は垂直に向けられているため、切換え部材１２が図４（Ａ）の状態からさらに上下に移動しても、摺動ピン１５が垂直に向いた第１の案内路１３ｂ１内を摺動するのみであり、このときアーム１３は退避姿勢のまま動くことはない。
【００４５】
図４（Ａ）の状態から歯車１４ｂに回転力が与えられて、スクリュー軸１４が回転させられると、切換え部材１２が上昇させられる。図４（Ｂ）から図５（Ａ）に示すように、切換え部材１２が上昇する過程で、摺動ピン１５が第１の案内路１３ｂ１から第２の案内路１３ｂ２内に移動し、摺動ピン１５が第２の案内路１３ｂ２を摺動するときにアーム１３に上方への移動力が与えられ、アーム１３が立ち上がるように回動させられる。
【００４６】
そして図５（Ｂ）に示すように、スクリュー軸１４により切換え部材１２が上昇させられ、アーム１３が規制姿勢に立ち上がり、腕部１３ａの先部が上部規制部材１７の受け部１７ａに当たると、摺動ピン１５は第２の案内路１３ｂ２から第３の案内路１３ｂ３内に移動する。このとき第３の案内路１３ｂ３は垂直に向けられているため、切換え部材１２が若干上下しても、摺動ピン１５は第３の案内路１３ｂ３内を上下するだけであり、アーム１３は規制姿勢に立ち上がったままの状態を維持する。
【００４７】
また、アーム１３が起立した規制姿勢から、倒れた退避姿勢に至る過程は、前記動作と逆に行われる。
【００４８】
前記のように、図４（Ａ）の退避姿勢では、第１の案内路１３ｂ１が垂直に向き、図５（Ｂ）に示す規制姿勢では、第３の案内路１３ｂ３が垂直に向くため、前記各姿勢のときに、切換え部材１２が上下してもアーム１３は退避姿勢および規制姿勢から動くことがない。
【００４９】
よって図６に示す作動レバー３０の回動角度に誤差があり、または歯部３０ａと歯車１４ｂとのバックラッシュがあって歯車１４ｂの停止タイミングが若干ずれたとしても、またはスクリュー軸１４と切換え部材１２の螺合位相が組み立て誤差によりずれていたとしても、アームを規制姿勢と退避姿勢に正確に位置させることができる。
【００５０】
よって、図３（Ａ）に示す動作状態のときに、アーム１３が若干倒れて、アーム１３と上部規制部材１７との間に隙間が形成されるようなことはなく、また図３（Ｂ）に示す動作状態のときに、下部規制部材１１の上端からアーム１３が若干立ち上がって、ディスクの移送の妨げになるなどの弊害を防止できる。
【００５１】
なお、前記実施の形態とは逆に、アーム１３側に突部となる前記摺動ピンが設けられ、切換え部材１２側に三つ叉状の前記案内路が形成されていてもよい。
【００５２】
また図４（Ａ）の状態または図５（Ｂ）の状態のいずれかのときにのみ、案内路が垂直に向くようにしてもよい。
【００５３】
【発明の効果】
以上のように本発明では、保管手段に保持されているディスクが保管手段から飛び出ないように規制できる。しかも、アームを駆動する駆動経路の動作タイミングに誤差があったり、部品の位置精度の誤差などがあってもアームを規制姿勢と退避姿勢に確実に維持させることができる。
【図面の簡単な説明】
【図１】本発明のディスク装置の内部構造を示す概略斜視図、
【図２】規制手段の構造を示す分解斜視図、
【図３】規制手段と駆動ユニットとの動作を説明する側面図であり、（Ａ）はディスク選択時または動作停止時、（Ｂ）はディスク駆動時またはディスクの挿入・排出時を示す、
【図４】規制手段のアームの動作を説明する断面図であり、（Ａ）は退避姿勢、（Ｂ）は動作途中を示す、
【図５】規制手段のアームの動作を説明する断面図であり、（Ａ）は動作途中、（Ｂ）は規制姿勢を示す、
【図６】歯車に対する動力伝達機構を示す平面図、
【符号の説明】
１  ディスク装置
６  駆動ユニット
７  ターンテーブル
８  光ピックアップ
１０  規制手段
１１  下部規制部材
１２  切換え部材
１３  アーム
１３ａ  腕部
１３ａ１  段差部
１３ｂ  案内部
１３ｂ０  案内路
１３ｂ１  第１の案内路
１３ｂ２  第２の案内路
１３ｂ３  第３の案内路
１４  スクリュー軸
１４ｂ  歯車
１５  摺動ピン
１６  連結ピン
２１，２２  ディスク移送手段
【図１】
0003933858.tif 000002
【図２】
0003933858.tif 000003
【図３】
0003933858.tif 000004
【図４】
0003933858.tif 000005
【図５】
0003933858.tif 000006
【図６】
0003933858.tif 000007